(57)【要約】【課題】電子機器によって様々な大きさの被写体を適切かつ容易に撮像する。【解決手段】電子機器１００の撮像部１１０に臨むように取り付け可能なレンズユニット１は、本体部（受けケース２、表ケース３）と、本体部に設けられ、互いにレンズ特性が異なる複数のレンズ４２、４３、４４が配列方向に配列されたレンズ部品４と、レンズ部品４と連結しており、複数のレンズ４２、４３、４４のうちの一のレンズが撮像部１１０に対向するようにレンズ部品４を移動させる操作部材（スライドノブ５）と、本体部の縁部から延出しており、レンズユニット１が電子機器１００に取り付けられる際に電子機器１００に係止するフック部（延出部２３、フック２５）とを備える。【選択図】図４
2020074042.tif 000002
【特許請求の範囲】
【請求項１】
電子機器の撮像部に臨むように取り付け可能なレンズユニットであって、
本体部と、
前記本体部に設けられ、互いにレンズ特性が異なる複数のレンズが配列方向に配列されたレンズ部品と、
前記レンズ部品と連結しており、前記複数のレンズのうちの一のレンズが前記撮像部に対向するように前記レンズ部品を移動させる操作部材と、
前記本体部の縁部から延出しており、前記レンズユニットが前記電子機器に取り付けられる際に前記電子機器に係止するフック部と、
を備える、レンズユニット。
【請求項２】
前記フック部は、前記本体部の前記電子機器への取り付け面の法線方向へ向かって延出している、
請求項１に記載のレンズユニット。
【請求項３】
前記フック部は、前記本体部の前記縁部に沿って設けられている、
請求項１又は２に記載のレンズユニット。
【請求項４】
前記本体部は、前記フック部が前記電子機器に係止した状態で、前記電子機器に固定される、
請求項１から３のいずれか１項に記載のレンズユニット。
【請求項５】
前記操作部材は、円周方向に沿って配列された前記複数のレンズを、前記円周方向に移動させる、
請求項１から４のいずれか１項に記載のレンズユニット。
【請求項６】
前記操作部材は、長方形状の前記本体部の長手方向に沿って配列された前記複数のレンズを、前記長手方向に移動させる、
請求項１から４のいずれか１項に記載のレンズユニット。
【発明の詳細な説明】
【技術分野】
【０００１】
本発明は、電子機器に取り付け可能なレンズユニットに関する。
【背景技術】
【０００２】
電子機器として、被写体を撮像可能な撮像部を有するノートパソコンやタブレットが利用されている。例えば、被写体として書類を撮像して電子化するニーズが増しており、かかるニーズに対して、電子機器の撮像部を利用して書類を電子化する方法が検討されている（特許文献１参照）。
【先行技術文献】
【特許文献】
【０００３】
【特許文献１】特開２０１０−１２４４０６号公報
【発明の概要】
【発明が解決しようとする課題】
【０００４】
ところで、従来の電子機器の撮像部は、様々な大きさの媒体（被写体）の撮像を考慮していなかったため、被写体の大きさに応じて撮像画像の画質がばらついたり、画質が劣化したりするという問題がある。
【０００５】
そこで、本発明はこれらの点に鑑みてなされたものであり、電子機器によって様々な大きさの被写体を適切かつ容易に撮像することを目的とする。
【課題を解決するための手段】
【０００６】
本発明の一の態様においては、電子機器の撮像部に臨むように取り付け可能なレンズユニットであって、本体部と、前記本体部に設けられ、互いにレンズ特性が異なる複数のレンズが配列方向に配列されたレンズ部品と、前記レンズ部品と連結しており、前記複数のレンズのうちの一のレンズが前記撮像部に対向するように前記レンズ部品を移動させる操作部材と、前記本体部の縁部から延出しており、前記レンズユニットが前記電子機器に取り付けられる際に前記電子機器に係止するフック部と、を備える、レンズユニットを提供する。
【０００７】
また、前記フック部は、前記本体部の前記電子機器への取り付け面の法線方向へ向かって延出していることとしてもよい。
【０００８】
また、前記フック部は、前記本体部の前記縁部に沿って設けられていることとしてもよい。
また、前記本体部は、前記フック部が前記電子機器に係止した状態で、前記電子機器に固定されることとしてもよい。
【０００９】
また、前記操作部材は、円周方向に沿って配列された前記複数のレンズを、前記円周方向に移動させることとしてもよい。
【００１０】
また、前記操作部材は、長方形状の前記本体部の長手方向に沿って配列された前記複数のレンズを、前記長手方向に移動させることとしてもよい。
【発明の効果】
【００１１】
本発明によれば、電子機器によって様々な大きさの被写体を適切かつ容易に撮像できるという効果を奏する。
【図面の簡単な説明】
【００１２】
【図１】本発明の一実施形態に係るレンズユニット１の一例を示す斜視図である。
【図２】図１に示すレンズユニット１を背面側から見た斜視図である。
【図３】複数のレンズの配置状態を説明するためのレンズユニット１の正面図である。
【図４】図３のＡ−Ａ断面図である。
【図５】レンズユニット１が電子機器１００に取り付けられた状態を示す図である。
【図６】レンズユニット１のレンズと、電子機器１００の撮像部１１０との関係を説明するための模式図である。
【図７】スライドノブ５の複数の位置を説明するためのレンズユニット１の平面図である。
【図８】レンズユニット１が取り付けられた電子機器１００で媒体Ｓを撮像する様子を示す模式図である。
【図９】表示画面１２０にライブビュー表示された媒体Ｓの画像Ｇを示す図である。
【図１０Ａ】レンズユニット１の平面図である。
【図１０Ｂ】レンズユニット１の正面図である。
【図１０Ｃ】レンズユニット１の底面図である。
【図１０Ｄ】レンズユニット１の背面図である。
【図１０Ｅ】レンズユニット１の右側面図である。
【図１０Ｆ】レンズユニット１の左側面図である。
【図１１】受けケース２の斜視図である。
【図１２】図１１に示す受けケース２を背面側から見た斜視図である。
【図１３】受けケース２の正面図である。
【図１４】表ケース３の斜視図である。
【図１５】図１４に示す表ケース３を背面側から見た斜視図である。
【図１６】レンズ部品４の斜視図である。
【図１７】レンズ部品４の平面図である。
【図１８】レンズ部品４の正面図である。
【図１９】スライドノブ５の斜視図である。
【図２０】スライドノブ５の背面図である。
【発明を実施するための形態】
【００１３】
＜レンズユニットの概要＞
図１〜図７を参照しながら、本発明の一実施形態に係るレンズユニットの概要について説明する。
【００１４】
図１は、本発明の一実施形態に係るレンズユニット１の一例を示す斜視図である。図２は、図１に示すレンズユニット１を背面側から見た斜視図である。図３は、複数のレンズの配置状態を説明するためのレンズユニット１の正面図である。図４は、図３のＡ−Ａ断面図である。図５は、レンズユニット１が電子機器１００に取り付けられた状態を示す図である。図６は、レンズユニット１のレンズと、電子機器１００の撮像部１１０との関係を説明するための模式図である。なお、図６では、説明の便宜上、レンズユニット１のレンズ４２以外の部品を省略している。
【００１５】
レンズユニット１は、図１〜図３に示すように、受けケース２と、表ケース３と、レンズ部品４と、スライドノブ５とを含む。レンズ部品４は、受けケース２と表ケース３の内部に移動可能に設けられ、複数のレンズ（図３に示すレンズ４２、４３、４４）を一体化した部品である。また、レンズ部品４は、図４に示すようにスライドノブ５に把持されており、ユーザによるスライドノブ５の長手方向（図１のＸ方向）へのスライド操作に連動して長手方向に移動する。レンズユニット１は、図５及び図６に示すように、電子機器１００の撮像部１１０に臨むように取り付け可能に構成されている。
【００１６】
電子機器１００は、例えば図５に示すようにノートパソコンである。なお、電子機器１００は、ノートパソコンに限定されず、例えば一つの筐体から成るタブレット端末であってもよい。電子機器１００は、入力側筐体１０２と、表示側筐体１０４とを含む。
【００１７】
入力側筐体１０２は、不図示の操作キーが配列されたキーボードを有する。表示側筐体１０４は、入力側筐体１０２に対して開閉可能に連結されている。また、表示側筐体１０４は、入力側筐体１０２と分離して利用可能な構成となっている。表示側筐体１０４は、図６に示すように、撮像部１１０と表示画面１２０とを有する。
【００１８】
撮像部１１０は、表示側筐体１０４に内蔵されており、レンズ１１２及び撮像素子１１４を有する。レンズ１１２は、入射光を撮像素子１１４に集光する。撮像素子１１４は、例えばＣＣＤやＣＭＯＳである。撮像素子１１４は、レンズ１１２によって集光された入射光をＲ、Ｇ、Ｂ毎に光量変換してアナログ信号を出力する。
【００１９】
表示画面１２０は、表示側筐体１０４の、レンズユニット１が取り付けられる面とは反対側に設けられている。表示画面１２０は、撮像部１１０が被写体を撮像した画像を表示したり、被写体をライブビュー表示したりする。また、表示画面１２０には、ユーザがタッチ操作可能なタッチパネルが重畳されている。ユーザは、表示側筐体１０４を入力側筐体１０２から分離して使用する際に、タッチ操作を行って撮像部１１０により被写体を撮像する。
【００２０】
また、表示側筐体１０４の上面１０５には、筐体の長手方向に沿って凹部１０５ａ（図５）が形成されている。凹部１０５ａは、例えば表示側筐体１０４内の空気が排出する排気孔と連通している。レンズユニット１は、フックが凹部１０５ａに係止されることで、電子機器１００に取り付けられる。また、レンズユニット１は、背面側に両面テープが貼り付けられており、両面テープにより表示側筐体１０４に固定される。
【００２１】
ところで、電子機器１００の撮像部１１０は、大きさが異なる複数の媒体を撮像可能である。例えば、撮像部１１０は、媒体として、Ａ４サイズの紙、Ａ５サイズの紙、免許証等を撮像する。このように様々な大きさの媒体を撮像する際には、撮像部１１０内のレンズ１１２だけでは、電子機器１００と媒体との間の距離を調整して撮像を行っても、焦点が合わないケースが発生する恐れがある。すなわち、ピンボケした画像が撮像されることになる。特に、ユーザが撮像した画像に基づいてＯＣＲ処理を施したい場合に、焦点が合わずボケた画像になってしまうとＯＣＲ処理を施せない。
【００２２】
そこで、本実施形態では、複数のレンズ４２、４３、４４を有するレンズユニット１を、電子機器１００に取り付け可能な構成となっている。レンズ４２、４３、４４は、撮像部１１０のレンズ１１２と組み合わせて利用することで、それぞれ特定の媒体の撮像に適したレンズ特性を有する。例えば、レンズ４２は、Ａ４サイズの紙を撮像する際に焦点が合う特性を有し、レンズ４３は、Ａ５サイズの紙の撮像する際に焦点が合う特性を有し、レンズ４４は、免許証を撮像する際に焦点が合う特性を有する。
【００２３】
そして、本実施形態では、撮像部１１０が撮像する媒体の種類に応じて、ユーザが、図３に示すようにレンズユニット１の長手方向に沿って配列されたレンズ４２、４３、４４のいずれか一つのレンズがレンズ１１２に対向する（図６参照）ように切り替え可能となっている。例えば、ユーザは、Ａ４サイズの紙を撮像する場合にはレンズ４２に切り替え、Ａ５サイズの紙を撮像する場合にはレンズ４３に切り替え、免許証を撮像する場合にはレンズ４４に切り替える。レンズ４２、４３、４４の切り替えは、レンズユニット１のスライドノブ５をスライドすることで行われる。
【００２４】
図７は、スライドノブ５の複数の位置を説明するためのレンズユニット１の平面図である。図７（ａ）は、レンズ４２、４３、４４のうちのレンズ４２がレンズ１１２に対向するスライドノブ５の第１位置を示す。図７（ｂ）は、レンズ４３がレンズ１１２に対向するスライドノブ５の第２位置を示す。図７（ｃ）は、レンズ４４がレンズ１１２に対向するスライドノブ５の第３位置を示す。ユーザは、Ａ４サイズの紙を撮像する場合にはスライドノブ５を図７（ａ）の第１位置に位置させ、Ａ５サイズの紙を撮像する場合にはスライドノブ５を図７（ｂ）の第２位置に位置させ、免許証を撮像する場合にはスライドノブ５を図７（ｃ）の第３位置に位置させる。
【００２５】
ここで、図８及び図９を参照しながら、レンズユニット１が取り付けられた電子機器１００による媒体Ｓの撮像の流れについて説明する。
図８は、表示側筐体１０４にレンズユニット１が取り付けられた電子機器１００で媒体Ｓを撮像する様子を示す模式図である。図９は、表示画面１２０にライブビュー表示された媒体Ｓの画像Ｇを示す図である。なお、図８では、レンズユニット１を取り付けた表示側筐体１０４を入力側筐体１０２から分離して使用している。
【００２６】
ここでは、撮像対象の媒体Ｓが、Ａ４サイズの紙であるものとする。ユーザは、媒体ＳがＡ４サイズの紙であるので、スライドノブ５を図７（ａ）の第１位置に位置させる。レンズユニット１のレンズ４２、４３、４４の焦点距離は、図９に示すように画像Ｇが表示画面１２０全体に表示された際に焦点が最も合うように、それぞれ設定されている。このため、ユーザは、媒体Ｓをライブビュー表示する画像Ｇが表示画面１２０全体に表示される位置まで、電子機器１００を媒体Ｓに近づける。これにより、ユーザは、容易に適切な撮像位置を把握できるので、容易に鮮明な画像Ｇを取得することが可能となる。
【００２７】
また、ユーザは、続けてＡ５サイズの紙や免許証を撮像する場合には、レンズユニット１を交換することなく、スライドノブ５をスライドさせることで、撮像する媒体に対応する鮮明な画像Ｇを取得することが可能となる。このように、簡易な操作で、複数種類の媒体を適切に撮像することが可能となる。
以下において、レンズユニット１の詳細構成について説明する。
【００２８】
＜レンズユニットの詳細構成＞
図１０Ａは、レンズユニット１の平面図である。図１０Ｂは、レンズユニット１の正面図である。図１０Ｃは、レンズユニット１の底面図である。図１０Ｄは、レンズユニット１の背面図である。図１０Ｅは、レンズユニット１の右側面図である。図１０Ｆは、レンズユニット１の左側面図である。
【００２９】
レンズユニット１は、図１０Ａ〜図１０Ｆに示すように、受けケース２と、表ケース３と、レンズ部品４と、スライドノブ５とを有する。本実施形態では、受けケース２及び表ケース３が、長方体の形状を成す本体部に該当し、スライドノブ５が、操作部材に該当する。以下では、構成部品毎に、詳細構造を説明する。
【００３０】
（受けケース２）
図１１は、受けケース２の斜視図である。図１２は、図１１に示す受けケース２を背面側から見た斜視図である。図１３は、受けケース２の正面図である。受けケース２は、長方形の形状を成す部材である。図１１〜図１３に示すように、受けケース２は、平面部２１と、壁部２２と、延出部２３と、位置特定部２４ａ〜２４ｃと、フック２５と、ガイド凹部２６と、係合突起２７ａ〜２７ｃとを有する。
【００３１】
平面部２１は、受けケース２のベースとなる矩形状の部分である。平面部２１の中央側には、円形の開口２１ａが形成されている。開口２１ａは、レンズユニット１が電子機器１００に取り付けられた際に、撮像部１１０に対向する。開口２１ａの大きさは、レンズ４２、４３、４４と略同じ大きさである。
【００３２】
壁部２２は、平面部２１の外形に沿って、平面部２１から立設した部分である。壁部２２で囲まれた領域内に、レンズ部品４が移動可能に配置される。壁部２２の上壁の中央側には、スライドノブ５のレンズ部品４を把持する把持部５２との干渉を避けるために切り欠き２２ａが形成されている。
【００３３】
延出部２３は、平面部２１の短手方向一端（上端）側から壁部２２の立設方向とは逆方向に延出した部分である。延出部２３は、受けケース２の長手方向の中央側に設けられている。
【００３４】
位置特定部２４ａ〜２４ｃは、スライドノブ５の第１位置、第２位置、及び第３位置を特定するためのものである。位置特定部２４ａ〜２４ｃは、例えば印刷により形成されたマークである。なお、マークの周囲に、スライドノブ５の各位置で撮像に適した媒体の種類を示す文字等が印字されていてもよい。かかる場合には、ユーザは、撮像する媒体に対応した位置にスライドノブ５を位置させやすくなる。
【００３５】
フック２５は、図１２に示すように、延出部２３の先端側に設けられている。フック２５は、レンズユニット１が電子機器１００に取り付けられた際に、表示側筐体１０４の凹部１０５ａ（図５）に係止する。
【００３６】
ガイド凹部２６は、平面部２１の開口２１ａの上方の切り欠き２２ａの部分に、長手方向に沿って形成されている。ガイド凹部２１ｂは、スライドノブ５の移動をガイドする機能を有する。
【００３７】
係合突起２７ａ〜２７ｃは、図１３に示すように、ガイド凹部２６に所定間隔で形成された突起である。係合突起２７ａ〜２７ｃは、スライドノブ５が所定位置に位置する際にスライドノブ５と係合する。
【００３８】
（表ケース３）
図１４は、表ケース３の斜視図である。図１５は、図１４に示す表ケース３を背面側から見た斜視図である。表ケース３は、受けケース２と略同じ大きさの部材であり、受けケース２及びレンズ部品４をカバーする機能を有する。図１４及び図１５に示すように、表ケース３は、平面部３１と、壁部３２と、支持部３３ａ、３３ｂと、ガイド凹部３４とを有する。
【００３９】
平面部３１は、表ケース３のベースとなる矩形状の部分である。平面部３１の中央側には、円形の開口３１ａが形成されている。開口３１ａは、受けケース２の開口２１ａに対応する位置に形成されている（図４参照）。開口３１ａの大きさは、開口２１ａと略同じ大きさである。
【００４０】
壁部３２は、平面部３１の縁から立設した部分である。壁部３２が受けケース２の壁部２２と係止することで、長方体形状の本体部となる。壁部３２の上壁の中央側（受けケース２の切り欠き２２ｃに対向する位置）には、スライドノブ５のレンズ部品４を把持する把持部５２との干渉を避けるために切り欠き３２ａ形成されている。
【００４１】
支持部３３ａ、３３ｂは、レンズ部品４の摺接突起４６（図１６）を支持する部分である。支持部３３ａ、３３ｂは、開口３１ａの両側に長手方向に沿って、平面部３１から所定高さだけ突出している。
【００４２】
ガイド凹部３４は、平面部３１の支持部３３ｂの上方の切り欠き３２ａの部分に、長手方向に沿って形成されている。ガイド凹部３４は、受けケース２のガイド凹部２６と共に、スライドノブ５の移動をガイドする機能を有する。
【００４３】
（レンズ部品４）
図１６は、レンズ部品４の斜視図である。図１７は、レンズ部品４の平面図である。図１８は、レンズ部品４の正面図である。レンズ部品４は、複数のレンズを一体化した矩形状の一体部品である。図１６〜図１８に示すように、レンズ部品４は、ベース部４１と、レンズ４２、４３、４４と、被把持部４５と、摺接突起４６、４７、４８とを有する。
【００４４】
ベース部４１は、平板状の部分である。ベース部４１には、３つのレンズ４２、４３、４４が所定間隔で嵌め込まれている。ベース部４１の厚さは、レンズ４２、４３、４４とほぼ同じ厚さである。
【００４５】
レンズ４２、４３、４４は、樹脂製であり、例えば透明性等に優れたＰＭＭＡ等のアクリル樹脂から成る。レンズ４２、４３、４４は、それぞれレンズ特性が異なる。例えば、レンズ４２、４３、４４は、それぞれ焦点距離が異なる。また、レンズ４２、４３、４４の焦点距離は、それぞれ対応する所定大きさの媒体が撮像部１１０によって撮像された際の画角が電子機器１００の表示画面１２０の大きさに対応するように、設定されている。これにより、前述した図９に示すように、媒体に対応する画像Ｇが表示画面１２０全体に表示される際に、焦点が最も合うようになっている。
【００４６】
レンズ４２、４３、４４の直径は、同じ大きさであり、電子機器１００の撮像部１１０のレンズ１１２の直径よりも大きい（図６参照）。また、レンズ４２、４３、４４は、それぞれ、平面（例えば、図６に示すようなレンズ４２の平面４２ａ）と、平面の反対側の球面（図１８に示す球面４２ｂ、４３ｂ、４４ｂとを有する。レンズ４２、４３、４４の平面は受けケース２と対向し、球面４２ｂ、４３ｂ、４４ｂは表ケース３と対向する。このため、レンズユニット１が電子機器１００に取り付けられた場合には、平面４２ａ等が、撮像部１１０のレンズ１１２と対向する（図６参照）。また、レンズ４２、４３、４４の中心の厚さは、それぞれ同じ大きさである。なお、上記では、レンズ４２、４３、４４の一方の面が平面であることとしたが、これに限定されず、両面とも球面であってもよい。
【００４７】
被把持部４５は、スライドノブ５の把持部５２（図１９）に把持される部分である。被把持部４５は、ベース部４１の上面から延出した部分である。被把持部４５は、受けケース２の切り欠き２２ａ及び表ケース３の切り欠き３２ａの部分に位置する。
【００４８】
摺接突起４６は、ベース部４１の前面に形成された突起であり、摺接突起４７は、ベース部４１の前面とは反対側の背面に形成された突起であり、摺接突起４８は、ベース部４１の底面に形成された突起である。摺接突起４６、４７、４８は、レンズ部品４が移動する際に、それぞれ受けケース２及び表ケース３と摺接する（図４参照）。レンズ４２、４３、４４の周囲に位置する摺接突起４６、４７、４８によって、レンズ４２、４３、４４と受けケース２及び表ケース３との間に隙間が形成されるので、レンズ部品４の移動に伴いレンズ４２、４３、４４が受けケース２や表ケース３に接触して損傷することを防止できる。
【００４９】
上記では、レンズ部品４が複数のレンズ４２、４３、４４を一体化した部品であるため、レンズ４２、４３、４４のそれぞれが撮像部１１０のレンズ１１２と対向する際に、レンズ１１２との光軸方向の距離が変動することを抑制できる。この結果、レンズの切り替えを行っても、適切な画像を取得できる。
【００５０】
（スライドノブ５）
図１９は、スライドノブ５の斜視図である。図２０は、スライドノブ５の背面図である。スライドノブ５は、図７に示す第１位置、第２位置、第３位置の間でスライドする。図１９及び図２０に示すように、スライドノブ５は、操作部５１と、把持部５２と、ガイド突起５３ａ、５３ｂと、係合凹部５４とを有する。
【００５１】
操作部５１は、棒状の部分である。操作部５１は、受けケース２の壁部２２、及び表ケース３の壁部３２上に位置する（図１参照）。操作部５１は、ユーザが例えば指の腹でスライドノブ５をスライドさせる操作面５１ａを有する。操作面５１ａには、長手方向の所定幅に亘って凹凸５１ｂが形成されている。凹凸５１ｂを形成することで、指の腹が操作面５１ａに引っ掛かりやすくなるので、スライドノブ５をスライドさせやすくなる。
【００５２】
また、操作面５１ａの長手方向一端側には、受けケース２の位置特定部２４ａ〜２４ｃと協働してスライドノブ５の位置を特定するための位置特定部５１ｃが形成されている。位置特定部５１ｃは、例えば印刷により形成されたマークである。そして、図７（ａ）に示すように位置特定部５１ｃが位置特定部２４ａの横に位置する場合には、スライドノブ５が第１位置に位置することを示す。また、図７（ｂ）に示すように位置特定部５１ｃが位置特定部２４ｂの横に位置する場合には、スライドノブ５が第２位置に位置することを示す。また、図７（ｃ）に示すように位置特定部５１ｃが位置特定部２４ｃの横に位置する場合には、スライドノブ５が第３位置に位置することを示す。
【００５３】
把持部５２は、レンズ部品４を把持する。把持部５２は、操作部５１の長手方向中央側から下方へ突出するように形成されている。把持部５２は、レンズ部品４の被把持部４５を把持する凹部５２ａを有する。スライドノブ５は、凹部５２ａが被把持部４５を把持した状態で長手方向にスライドすることで、レンズ部品４を長手方向に移動させる。これにより、ユーザは、スライドノブ５をスライドさせることで、レンズ部品４を容易に移動させることができる。
【００５４】
ガイド突起５３ａ、５３ｂは、それぞれ把持部５２から幅方向の外方へ突出した部分である。ガイド突起５３ａは、受けケース２のガイド凹部２６にガイドされ、ガイド突起５３ｂは、表ケース３のガイド凹部３４にガイドされる。これにより、スライドノブ５は、ガイド凹部２６、３４に沿ってスライドする。
【００５５】
係合凹部５４は、ガイド突起５３ａの中央側に更に形成された凹部である。係合凹部５４は、スライドノブ５が移動して第１位置〜第３位置のいずれかに位置する際に、受けケース２の係合突起２７ａ〜２７ｃ（図１３）と係合する。例えば、係合凹部５４は、スライドノブ５が第１位置（図７（ａ）に示す位置）に位置する際に係合突起２７ａと係合し、スライドノブ５が第２位置（図７（ｂ）に示す位置）に位置する際に係合突起２７ｂと係合し、スライドノブ５が第３位置（図７（ｃ）に示す位置）に位置する際に係合突起２７ｃと係合する。そして、係合凹部５４が係合突起２７ａ〜２７ｃと係合する際に操作負荷が変化するので、ユーザにスライドノブ５の操作感が伝わりやすくなる。
【００５６】
（変形例）
上記では、レンズ４２、４３、４４の配列方向が、レンズユニット１の長手方向であることとしたが、これに限定されない。例えば、レンズ４２、４３、４４が、円形状の本体部内に円周方向に沿って配列されてもよい。かかる場合には、操作部材によって、レンズ４２、４３、４４を円周方向に回動させて、一のレンズを撮像部１１０のレンズ１１２に対向させることになる。
【００５７】
また、上記では、レンズ４２、４３、４４は、レンズ特性として、それぞれ焦点距離が異なることとしたが、これに限定されない。例えば、レンズ特性として、レンズの視野角が異なってもよい。
また、上記では、レンズ部品４が３つのレンズ４２、４３、４４を有することとしたが、これに限定されない。例えば、レンズ部品４は、２つ又は４つ以上のレンズを有することとしてもよい。
【００５８】
また、上記では、スライドノブ５に係合凹部５４が形成され、受けケース２に係合突起２７ａ〜２７ｃが形成されていることとしたが、これに限定されない。例えば、スライドノブ５に係合突起が形成され、受けケース２に係合凹部が形成されてもよい。
【００５９】
＜本実施形態における効果＞
上述したように、本実施形態に係るレンズユニット１は、電子機器１００の撮像部１１０に臨むように取り付け可能である。そして、レンズユニット１は、互いにレンズ特性が異なる複数のレンズ４２、４３、４４と、レンズ４２、４３、４４のうちの一のレンズが受けケース２の開口２１ａに対向するように、レンズ４２、４３、４４を移動させるスライドノブ５とを有する。
これにより、撮像部１１０で様々な大きさの媒体を撮像する場合に、レンズ４２、４３、４４の中で撮像する媒体の大きさに応じた一のレンズを開口２１ａに対向させるように移動させることで、焦点が合った画像を取得できる。この結果、焦点が合った画像に基づいて、ＯＣＲ処理を適切に行うことが可能となる。
また、スライドノブ５をスライドさせることで、レンズ４２、４３、４４を移動できるので、レンズユニット１が電子機器１００に取り付けられた状態であっても、容易にレンズの切り替えが可能となる。
【００６０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００６１】
１    レンズユニット
２    受けケース
３    表ケース
４    レンズ部品
５    スライドノブ
２１ａ    開口
２７ａ〜２７ｃ    係合突起
３１ａ    開口
４２、４３、４４    レンズ
４６、４７、４８    摺接突起
５１ａ    操作面
５２    把持部
５４    係合凹部
１００    電子機器
１１０    撮像部
１１２    レンズ
１２０    表示画面
【図１】
2020074042.tif 000003
【図２】
2020074042.tif 000004
【図３】
2020074042.tif 000005
【図４】
2020074042.tif 000006
【図５】
2020074042.tif 000007
【図６】
2020074042.tif 000008
【図７】
2020074042.tif 000009
【図８】
2020074042.tif 000010
【図９】
2020074042.tif 000011
【図１０Ａ】
2020074042.tif 000012
【図１０Ｂ】
2020074042.tif 000013
【図１０Ｃ】
2020074042.tif 000014
【図１０Ｄ】
2020074042.tif 000015
【図１０Ｅ】
2020074042.tif 000016
【図１０Ｆ】
2020074042.tif 000017
【図１１】
2020074042.tif 000018
【図１２】
2020074042.tif 000019
【図１３】
2020074042.tif 000020
【図１４】
2020074042.tif 000021
【図１５】
2020074042.tif 000022
【図１６】
2020074042.tif 000023
【図１７】
2020074042.tif 000024
【図１８】
2020074042.tif 000025
【図１９】
2020074042.tif 000026
【図２０】
2020074042.tif 000027